(57)【要約】  【課題】  携帯情報端末の各種機能を自動的に制御でき、携帯情報端末を持ち込むことによる様々な弊害を防止できる電子チケットシステムを提供する。  【解決手段】  携帯情報端末１０１からチケット選択情報をチケット発券システム１０４に送信すると、チケット発券システム１０４は、チケット選択情報を基に、チケット情報及び制御プログラムがパッケージ化されたチケットデータを生成し、携帯情報端末１０１に送信する。携帯情報端末１０１は、受信したチケットデータを記憶部に格納する。この携帯情報端末１０１を所持するユーザがイベント会場等に移動すると、そのゲート等に設置されたチケット確認端末１０５によってチケット情報が読み出され、チケット発券システム１０４に登録されたものであると確認された場合、携帯情報端末１０１の制御プログラムの実行が許可され、呼び出し音、カメラによる撮影などの機能が制限される。【選択図】  図１
2005025686.tif 000002
【特許請求の範囲】
【請求項１】
携帯情報端末、発券装置及びチケット確認端末がネットワークを介して接続された電子チケットシステムであって、
前記携帯情報端末からチケット選択情報を前記発券装置に送信する選択情報送信手段と、
前記チケット選択情報を基に、チケット情報及び制御プログラムを含むチケットデータを前記発券装置により生成するチケットデータ生成手段と、
前記生成されたチケットデータを前記発券装置から前記携帯情報端末に送信するチケットデータ送信手段と、
前記チケットデータを受信して前記携帯情報端末に格納する格納手段と、
前記制御プログラムを実行し、前記携帯情報端末の機能を変更する機能変更手段と、
を備える電子チケットシステム。
【請求項２】
請求項１記載の電子チケットシステムであって、
前記携帯情報端末に格納されたチケット情報を読み出して前記チケット確認端末に送信するチケット情報読出手段と、
前記読み出されたチケット情報が前記発券装置に登録されたものであるか否かを照合する照合手段と、
前記照合の結果、前記チケット情報が登録されたものであると確認された場合、前記携帯情報端末に格納された前記制御プログラムの実行を許可する許可手段と、を備え、
前記機能変更手段は、前記許可された制御プログラムを実行し、前記携帯情報端末の機能を変更するものである電子チケットシステム。
【請求項３】
請求項１記載の電子チケットシステムであって、
前記機能変更手段は、前記携帯情報端末の特定機能を制限するものである電子チケットシステム。
【請求項４】
請求項１記載の電子チケットシステムであって、
前記機能変更手段は、前記チケット情報に含まれる日時データを基に前記携帯情報端末に搭載されたタイマの時刻を設定し、この設定された時刻に達したときに、その旨を通知するものである電子チケットシステム。
【請求項５】
請求項１記載の電子チケットシステムであって、
前記機能変更手段は、前記チケット情報に含まれる位置データ、及び前記携帯情報端末に搭載されたＧＰＳ受信部により得られた当該携帯情報端末の位置データを基に、前記チケット情報に対応する利用場所までの地図を表示するものである電子チケットシステム。
【請求項６】
請求項１記載の電子チケットシステムであって、
前記機能変更手段は、前記チケット情報に含まれる位置データ、及び前記携帯情報端末に搭載されたＧＰＳ受信部により得られた当該携帯情報端末の位置データを基に、前記チケット情報に対応する利用場所までの交通機関の移動経路を表示するものである電子チケットシステム。
【請求項７】
携帯情報端末、発券装置及びチケット確認端末がネットワークを介して接続された電子チケットシステムにおける電子チケット処理方法であって、
前記携帯情報端末からチケット選択情報を前記発券装置に送信する選択情報送信ステップと、
前記チケット選択情報を基に、チケット情報及び制御プログラムを含むチケットデータを前記発券装置により生成するチケットデータ生成ステップと、
前記生成されたチケットデータを前記発券装置から前記携帯情報端末に送信するチケットデータ送信ステップと、
前記チケットデータを受信して前記携帯情報端末に格納する格納ステップと、
前記携帯情報端末に格納されたチケット情報を読み出して前記チケット確認端末に送信するチケット情報読出ステップと、
前記読み出されたチケット情報が前記発券装置に登録されたものであるか否かを照合する照合ステップと、
前記照合の結果、前記チケット情報が登録されたものであると確認された場合、前記携帯情報端末に格納された前記制御プログラムの実行を許可する許可ステップと、
前記許可された制御プログラムを実行し、前記携帯情報端末の機能を変更する機能変更ステップと、
を有する電子チケット処理方法。
【請求項８】
ネットワークを介して発券装置及びチケット確認端末に接続可能な携帯情報端末であって、
チケット選択情報を前記発券装置に送信する選択情報送信手段と、
前記チケット選択情報を基に前記発券装置によって生成されたチケット情報及び制御プログラムを含むチケットデータを、前記発券装置から受信して記憶手段に格納する格納手段と、
前記記憶手段に格納されたチケット情報を読み出して前記チケット確認端末に送信するチケット情報読出手段と、
前記制御プログラムを実行し、当該携帯情報端末の機能を変更する機能変更手段と、
を備える携帯情報端末。
【請求項９】
ネットワークを介して携帯情報端末及びチケット確認端末に接続可能な発券装置であって、
前記携帯情報端末から送信されたチケット選択情報を基に、チケット情報及び制御プログラムを含むチケットデータを生成するチケットデータ生成手段と、
前記生成されたチケットデータを前記携帯情報端末に送信するチケットデータ送信手段と、
前記チケット確認端末によって前記携帯情報端末から読み出されたチケット情報が登録されたものであるか否かを照合する照合手段と、
を備える発券装置。
【請求項１０】
ネットワークを介して携帯情報端末及び発券装置に接続可能なチケット確認端末であって、
前記携帯情報端末に格納されたチケット情報を取得するチケット情報取得手段と、
前記取得したチケット情報が登録されたものであるか否かを照合するために、前記発券装置に前記チケット情報を送信するチケット情報送信手段と、
前記照合の結果、前記チケット情報が登録されたものであると確認された場合、前記携帯情報端末に格納された制御プログラムの実行を許可する許可手段と、
を備えるチケット確認端末。
【発明の詳細な説明】
【技術分野】
【０００１】
本発明は、携帯情報端末、発券装置及びチケット確認端末がネットワークを介して接続された電子チケットシステム、電子チケット処理方法、携帯情報端末、発券装置及びチケット確認端末に関する。
【背景技術】
【０００２】
従来、各種イベントの入場券や、交通機関の乗車券、乗船券、航空券を購入する方法として、所定のチケット販売窓口で直接購入する方法、電話で予約してからチケット販売窓口で購入する方法、インターネット等のネットワークを利用して予約して購入する方法などがある。このうち、インターネットを使ってチケットを販売するシステムでは、インターネットを介してチケットを予約することだけが行われており、チケットを実際入手するためには、郵送等で手元に入手するか、あるいは店頭に出向いて入手しなければならず、予約以降のチケットの販売方法はそれ以前と比べて大差なかった。また、チケットそのものは従来から使用されている通常の印刷物であった。
【０００３】
このような状況を改善するための電子チケットシステムが提案されている（例えば、特許文献１参照）。この電子チケットシステムでは、携帯情報端末の画面そのものを、チケット情報を含むチケット画面として利用している。この他にも、印刷されたチケットの代わりに、携帯情報端末を用いる電子チケットシステムが提案されている（例えば、特許文献２、３参照）。
【特許文献１】特開２００２−１８３７６９号公報（第３頁、図１）
【特許文献２】特開２００２−８３３３３号公報
【特許文献３】特開２００２−１７０００５号公報
【発明の開示】
【発明が解決しようとする課題】
【０００４】
しかしながら、上記従来の電子チケットシステムでは、チケットそのものを電子化できるが、各種イベント会場や交通機関に携帯情報端末を持ち込まなければならず、この携帯情報端末の呼び出し音が開催中のイベントの演出効果を妨げたり、この携帯情報端末による通話が交通機関を利用している他の乗客の迷惑になるおそれがあった。
【０００５】
また、従来、印刷物であったチケットが、携帯情報端末内の記憶装置に電子データとして格納され、通常見えない状態にあるので、備忘のためなどに普段からチケットとして目に付く場所に貼っておくためには、プリンタで紙面に印刷しなければならず、面倒であった。したがって、そのままでは、ユーザがイベントの開催日や開催時間、チケットの乗車駅、乗車時間を忘れてしまうおそれがあった。
【０００６】
さらに、イベント開催場所に行くために、イベントポスタに印刷された地図や会場名などから、地図を用いてその場所や交通機関について調べなければならなかった。
【０００７】
本発明は、上記事情に鑑みてなされたもので、携帯情報端末の各種機能を自動的に制御でき、携帯情報端末を持ち込むことによる様々な弊害を防止できる電子チケットシステム、電子チケット処理方法、携帯情報端末、発券装置及びチケット確認端末を提供することを目的とする。
【０００８】
また、本発明は、チケット利用に関する情報を容易に知ることができる電子チケットシステム、電子チケット処理方法、携帯情報端末、発券装置及びチケット確認端末を提供することを他の目的とする。
【課題を解決するための手段】
【０００９】
本発明の電子チケットシステムは、携帯情報端末、発券装置及びチケット確認端末がネットワークを介して接続された電子チケットシステムであって、前記携帯情報端末からチケット選択情報を前記発券装置に送信する選択情報送信手段と、前記チケット選択情報を基に、チケット情報及び制御プログラムを含むチケットデータを前記発券装置により生成するチケットデータ生成手段と、前記生成されたチケットデータを前記発券装置から前記携帯情報端末に送信するチケットデータ送信手段と、前記チケットデータを受信して前記携帯情報端末に格納する格納手段と、前記制御プログラムを実行し、前記携帯情報端末の機能を変更する機能変更手段と、を備えるものである。
【００１０】
上記構成により、チケット利用時などに携帯情報端末の各種機能を自動的に制御でき、携帯情報端末を持ち込むことによる様々な弊害を防止できる。例えば、各種イベント会場における携帯情報端末の呼び出し音による演出の妨げや、交通機関利用中の通話による他の乗客への迷惑などを防止できる。
【００１１】
また、本発明の一態様として、上記電子チケットシステムであって、前記携帯情報端末に格納されたチケット情報を読み出して前記チケット確認端末に送信するチケット情報読出手段と、前記読み出されたチケット情報が前記発券装置に登録されたものであるか否かを照合する照合手段と、前記照合の結果、前記チケット情報が登録されたものであると確認された場合、前記携帯情報端末に格納された前記制御プログラムの実行を許可する許可手段と、を備え、前記機能変更手段は、前記許可された制御プログラムを実行し、前記携帯情報端末の機能を変更するものとする。
【００１２】
上記構成により、携帯情報端末に格納されたチケット情報が照合された場合に、制御プログラムを実行して携帯情報端末の各種機能を自動的に制御でき、携帯情報端末を持ち込むことによる様々な弊害を防止できる。
【００１３】
また、本発明の一態様として、上記電子チケットシステムであって、前記機能変更手段は、前記携帯情報端末の特定機能を制限するものとする。
【００１４】
上記構成により、チケット利用時や携帯情報端末のチケット情報が照合された場合などに、制御プログラムを実行して携帯情報端末の特定機能を制限することができ、携帯情報端末を持ち込むことによる様々な弊害を防止できる。
【００１５】
また、本発明の一態様として、上記電子チケットシステムであって、前記機能変更手段は、前記チケット情報に含まれる日時データを基に前記携帯情報端末に搭載されたタイマの時刻を設定し、この設定された時刻に達したときに、その旨を通知するものとする。
【００１６】
上記構成により、例えばタイマの時刻をチケット情報に対応するイベントの日時や交通機関の利用時などの所定期間前に設定することで、ユーザにその時刻に達したことを知らせることが可能となる。これによって、ユーザがチケットに関する情報を容易に知ることができ、イベントの開催日や開始時刻、乗車時刻などを忘れてしまうことを防げる。
【００１７】
また、本発明の一態様として、上記電子チケットシステムであって、前記機能変更手段は、前記チケット情報に含まれる位置データ、及び前記携帯情報端末に搭載されたＧＰＳ受信部により得られた当該携帯情報端末の位置データを基に、前記チケット情報に対応する利用場所までの地図を表示するものとする。
【００１８】
上記構成により、チケット情報に対応する利用場所として、例えばイベント開催場所や乗車駅までの地図を表示することで、ユーザにチケットを利用する際の場所情報を提供できる。これによって、ユーザがチケットに関する情報を容易に知ることができ、利便性を向上できる。
【００１９】
また、本発明の一態様として、上記電子チケットシステムであって、前記機能変更手段は、前記チケット情報に含まれる位置データ、及び前記携帯情報端末に搭載されたＧＰＳ受信部により得られた当該携帯情報端末の位置データを基に、前記チケット情報に対応する利用場所までの交通機関の移動経路を表示するものとする。
【００２０】
上記構成により、チケット情報に対応する利用場所として、例えばイベント開催場所や乗車駅までの交通機関の移動経路を表示することで、ユーザにチケットを利用する際の経路情報を提供できる。これによって、ユーザがチケットに関する情報を容易に知ることができ、利便性を向上できる。
【００２１】
本発明の電子チケット処理方法は、携帯情報端末、発券装置及びチケット確認端末がネットワークを介して接続された電子チケットシステムにおける電子チケット処理方法であって、前記携帯情報端末からチケット選択情報を前記発券装置に送信する選択情報送信ステップと、前記チケット選択情報を基に、チケット情報及び制御プログラムを含むチケットデータを前記発券装置により生成するチケットデータ生成ステップと、前記生成されたチケットデータを前記発券装置から前記携帯情報端末に送信するチケットデータ送信ステップと、前記チケットデータを受信して前記携帯情報端末に格納する格納ステップと、前記携帯情報端末に格納されたチケット情報を読み出して前記チケット確認端末に送信するチケット情報読出ステップと、前記読み出されたチケット情報が前記発券装置に登録されたものであるか否かを照合する照合ステップと、前記照合の結果、前記チケット情報が登録されたものであると確認された場合、前記携帯情報端末に格納された前記制御プログラムの実行を許可する許可ステップと、前記許可された制御プログラムを実行し、前記携帯情報端末の機能を変更する機能変更ステップと、を有するものである。
【００２２】
上記手順により、チケット利用時などに携帯情報端末の各種機能を自動的に制御でき、携帯情報端末を持ち込むことによる様々な弊害を防止できる。例えば、各種イベント会場における携帯情報端末の呼び出し音による演出の妨げや、交通機関利用中の通話による他の乗客への迷惑などを防止できる。
【００２３】
本発明の携帯情報端末は、ネットワークを介して発券装置及びチケット確認端末に接続可能な携帯情報端末であって、チケット選択情報を前記発券装置に送信する選択情報送信手段と、前記チケット選択情報を基に前記発券装置によって生成されたチケット情報及び制御プログラムを含むチケットデータを、前記発券装置から受信して記憶手段に格納する格納手段と、前記記憶手段に格納されたチケット情報を読み出して前記チケット確認端末に送信するチケット情報読出手段と、前記制御プログラムを実行し、当該携帯情報端末の機能を変更する機能変更手段と、を備えるものである。
【００２４】
上記構成により、チケット情報及び制御プログラムを含むチケットデータを取得して格納し、チケット利用時などに制御プログラムを実行することで、携帯情報端末の各種機能を自動的に制御でき、携帯情報端末を持ち込むことによる様々な弊害を防止できる。
【００２５】
本発明の発券装置は、ネットワークを介して携帯情報端末及びチケット確認端末に接続可能な発券装置であって、前記携帯情報端末から送信されたチケット選択情報を基に、チケット情報及び制御プログラムを含むチケットデータを生成するチケットデータ生成手段と、前記生成されたチケットデータを前記携帯情報端末に送信するチケットデータ送信手段と、前記チケット確認端末によって前記携帯情報端末から読み出されたチケット情報が登録されたものであるか否かを照合する照合手段と、を備えるものである。
【００２６】
上記構成により、チケット情報及び制御プログラムを含むチケットデータを生成して携帯情報端末に供給することで、携帯情報端末側では、チケット利用時に携帯情報端末の各種機能を自動的に制御でき、携帯情報端末を持ち込むことによる様々な弊害を防止できる。
【００２７】
本発明のチケット確認端末は、ネットワークを介して携帯情報端末及び発券装置に接続可能なチケット確認端末であって、前記携帯情報端末に格納されたチケット情報を取得するチケット情報取得手段と、前記取得したチケット情報が登録されたものであるか否かを照合するために、前記発券装置に前記チケット情報を送信するチケット情報送信手段と、前記照合の結果、前記チケット情報が登録されたものであると確認された場合、前記携帯情報端末に格納された制御プログラムの実行を許可する許可手段と、を備えるものである。
【００２８】
上記構成により、チケット利用時に携帯情報端末に格納されたチケット情報を取得し、チケット情報の照合結果によって携帯情報端末に格納された制御プログラムの実行を許可することで、携帯情報端末の各種機能を自動的に制御でき、携帯情報端末を持ち込むことによる様々な弊害を防止できる。
【発明の効果】
【００２９】
本発明によれば、携帯情報端末の各種機能を自動的に制御でき、携帯情報端末を持ち込むことによる様々な弊害を防止できる。また、チケット利用に関する情報を容易に知ることができる。
【発明を実施するための最良の形態】
【００３０】
（第１の実施形態）
図１は本発明の第１の実施形態における電子チケットシステムの構成を示す図である。電子チケットシステムは、携帯情報端末１０１、ネットワーク１０２、無線基地局１０３、チケット発券システム１０４、チケット確認端末１０５、及びＧＰＳ衛星１０６を有して構成される。なお、簡単のため、ＧＰＳ衛星は１つのみ図示する。
【００３１】
携帯情報端末１０１は、各種演算処理や無線によるデータの送受信が可能であり、さらにＧＰＳデータ受信機能を備えている。この携帯情報端末の構成の詳細については後述する。ネットワーク１０２は、インターネット等の広域情報ネットワークを含んで構成される。無線基地局１０３は、移動体通信システム等の無線通信網の基地局であり、携帯情報端末１０１と無線によるデータの送受信が可能である。チケット発券システム１０４は、チケットの発券処理、発券情報の蓄積、管理を行うものである。さらに、チケット発券システム１０４は、ネットワーク１０２を経由してチケット確認端末１０５と情報の送受信が可能である。このチケット発券システムの構成の詳細については後述する。
【００３２】
チケット確認端末１０５は、携帯情報端末１０１に蓄積された電子チケットが正規に発券されたものであるか否かを確認する。また、チケット確認端末１０５はネットワーク１０２を経由してチケット発券システム１０４に接続されており、チケット発券システム１０４に蓄積されている発券情報を検索、照合することが可能である。このチケット確認端末の構成の詳細については後述する。ＧＰＳ衛星１０６は、携帯情報端末１０１が現在位置を算出するために必要なＧＰＳデータを送信する。
【００３３】
図２は携帯情報端末１０１の構成を示す図である。携帯情報端末１０１は、アンテナ及びスイッチ部２０１、復調部２０２、変調部２０３、信号処理部２０４、ＧＰＳ部２０５、ＣＰＵ（プロセッサ）２０６、表示部２０７、入力部２０８、スピーカ２０９、タイマ２１０、記憶部２１１、及びチケットデータ通信部２１２を有して構成される。
【００３４】
アンテナ及びスイッチ部２０１は、スイッチによって送信系と受信系を切り替えることにより、１本のアンテナで無線の送信及び受信を行う。復調部２０２は、アンテナ及びスイッチ部２０１から受信した無線信号を復調し、信号処理部２０４に受信データを出力する。変調部２０３は、信号処理部２０４からの送信データを変調し、アンテナ及びスイッチ部２０１に出力する。
【００３５】
信号処理部２０４は、復調部２０２から入力された受信データに信号処理を施し、また送信すべきデータに信号処理を施して変調部２０３に出力する。ＧＰＳ部２０５は、ＧＰＳ衛星１０６から受信したＧＰＳデータを基に、現在の携帯情報端末１０１の位置情報（緯度、経度）を算出し、ＣＰＵ２０６に出力する。
【００３６】
ＣＰＵ２０６は、携帯情報端末１０１のシステム全体の制御、各種演算処理、記憶部２１１に格納されたプログラムの実行などを行う。表示部２０７は、ＬＣＤなどから構成され、ユーザインタフェースとしての制御画面の表示や情報の表示を行う。入力部２０８は、操作キーなどから構成され、ユーザからの入力操作などによる携帯情報端末１０１の制御情報をＣＰＵ２０６に入力する。
【００３７】
スピーカ２０９は、ＣＰＵ２０６からの出力音声信号に基づき音声を発音し、この音声により情報をユーザに通知する。タイマ２１０は、ＣＰＵ２０６によって設定された日時に達したことをＣＰＵ２０６に通知する。記憶部２１１は、ＣＰＵ２０６によって使用される各種情報やプログラムを格納している。チケットデータ通信部２１２は、チケット確認端末１０５との間でデータの送受信を行う。
【００３８】
図３はチケット発券システム１０４の構成を示す図である。チケット発券システム１０４は、復調部３０１、変調部３０２、信号処理部３０３、ＣＰＵ（プロセッサ）３０４、表示部３０５、入力部３０６、及び記憶部３０７を有して構成される。復調部３０１は、ネットワーク１０２から受信した信号を復調し、信号処理部３０３に受信データを出力する。変調部３０２は、信号処理部３０３からの送信データを変調し、ネットワーク１０２に出力する。信号処理部３０３は、復調部３０１から入力された受信データに信号処理を施し、また送信すべきデータに信号処理を施して変調部３０２に出力する。
【００３９】
ＣＰＵ３０４は、チケット発券システム１０４のシステム全体を制御する。表示部３０５は、ＣＲＴやＬＣＤなどから構成され、制御情報などを表示する。入力部３０６は、操作キーなどから構成され、システム管理者からの入力操作などによるチケット発券システム１０４の制御情報をＣＰＵ３０４に入力する。記憶部３０７は、ＣＰＵ３０４によって使用される顧客データベース、プログラム、各種データを格納する。
【００４０】
図４はチケット確認端末１０５の構成を示す図である。チケット確認端末１０５は、復調部４０１、変調部４０２、信号処理部４０３、チケットデータ通信部４０４、ＣＰＵ（プロセッサ）４０５、表示部４０６、入力部４０７、及び記憶部４０８を有して構成される。
【００４１】
復調部４０１は、ネットワーク１０２から受信した信号を復調し、信号処理部４０３に受信データを出力する。変調部４０２は、信号処理部４０３からの送信データを変調し、ネットワーク１０２に出力する。信号処理部４０３は、復調部４０１から入力された受信データに信号処理を施し、また送信すべきデータに信号処理を施して変調部４０２に出力する。
【００４２】
チケットデータ通信部４０４は、携帯情報端末１０１とデータの送受信を行う。ＣＰＵ４０５は、チケット確認端末１０５のシステム全体を制御する。表示部４０６は、ＣＲＴやＬＣＤなどから構成され、チケット確認結果や制御情報などを表示する。入力部４０７は、操作キーなどから構成され、チケット確認者からの入力操作などによる制御情報を入力してＣＰＵ４０５に通知する。記憶部４０８は、ＣＰＵ４０５によって使用される各種情報やプログラムを格納する。
【００４３】
以下に、上記構成を有する電子チケットシステムの動作を説明する。図５は電子チケットシステム全体の動作処理手順を示すフローチャートである。図６及び図７はユーザ、携帯情報端末、チケット発券システム及びチケット確認端末の各処理を示す図である。これらの処理は、各装置の記憶部２１１、３０７、４０８に記憶されたプログラムに基づき、ＣＰＵ２０６、３０４、４０３上でそれぞれプログラムを実行することにより実現される。
【００４４】
チケット発券システム１０４は、前述したように、ネットワーク１０２に接続されており、一般ユーザは自由にネットワーク１０２を介してチケット情報（各種イベントの開催日時、料金、場所、交通機関の利用日時、料金など）にアクセスすることが可能である。
【００４５】
ユーザは、携帯情報端末１０１を用いてネットワーク１０２に接続されたチケット発券システム１０４にアクセスし、表示部２０７に表示されたチケット情報を閲覧し、希望するチケットがあった場合、入力部２０８を操作して希望するチケットを選択する（ステップＳ１、Ｕ１）。このとき、ＣＰＵ２０６は、入力部２０８の操作内容から、ユーザによって選択されたチケット選択情報を信号処理部２０４に出力する。信号処理部２０４は、ＣＰＵ２０６から入力されたチケット選択情報に信号処理を施して変調部２０３に出力する。変調部２０３は、信号処理部２０４から入力されるチケット選択情報を変調し、アンテナ及びスイッチ部２０１に出力する。アンテナ及びスイッチ部２０１は、変調部２０３から入力された変調データを無線で送信する（Ｋ１）。尚、ステップＳ１、Ｋ１の処理は、請求項に記載の選択情報送信手段に相当する。そして、無線基地局１０３は、携帯情報端末１０１からのチケット選択情報を受信し、ネットワーク１０２を介してチケット発券システム１０４に送信する。
【００４６】
チケット発券システム１０４内の復調部３０１は、ネットワーク１０２経由で携帯情報端末１０１から送信されたチケット選択情報を受信すると、チケット選択情報を復調して信号処理部３０３に出力する（Ｈ１）。信号処理部３０３は、復調部３０１から入力されたチケット選択情報に信号処理を施し、ＣＰＵ３０４に出力する。ＣＰＵ３０４は、信号処理部３０３から入力されたチケット選択情報を読み込み、選択されたチケットを認識する。そして、該当するチケットを購入する際に必要な情報のリストを記憶部３０７から検索し、その検索結果から発券に必要な情報要求データを生成する（Ｈ２）。ＣＰＵ３０４は、発券に必要な情報要求データを信号処理部３０３に出力する。信号処理部３０３は、ＣＰＵ３０４から入力される発券に必要な情報要求データに信号処理を施して変調部３０２に出力する。変調部３０２は、信号処理部３０３から入力される発券に必要な情報要求データを変調し、ネットワーク１０２を経由して携帯情報端末１０１に送信する（ステップＳ２、Ｈ３）。
【００４７】
ネットワーク１０２及び無線基地局１０３を経由して携帯情報端末１０１に送信された発券に必要な情報要求データは、携帯情報端末１０１内のアンテナ及びスイッチ部２０１で受信されると、復調部２０２で復調され、信号処理部２０４で信号処理が施された後、ＣＰＵ２０６に読み込まれる（Ｋ２）。ＣＰＵ２０６は、発券に必要な情報のリスト及び案内を表示部２０７に表示する（Ｋ３）。
【００４８】
ユーザは、表示部２０７に表示された発券に必要な情報リスト及び案内に従い、入力部２０８を操作して発券に必要な情報を入力する（Ｕ２）。ＣＰＵ２０６は、入力部２０８からの入力情報を基に、発券に必要な情報データを生成し、信号処理部２０４で信号処理を施した後、変調部２０３で変調し、アンテナ及びスイッチ部２０１から無線で送信する（ステップＳ３、Ｋ４）。
【００４９】
無線基地局１０３及びネットワーク１０２を経由して送信された発券に必要な情報データは、チケット発券システム１０４内の復調部３０１で受信され、復調されると、信号処理部３０３で信号処理が施された後、ＣＰＵ３０４に読み込まれる（ステップＳ４、Ｈ４）。ＣＰＵ３０４は、ステップＳ４で受信した発券に必要な情報データを基に、チケット情報を生成する（ステップＳ５、Ｈ５）。このとき生成されるチケット情報は、各種開催イベントのチケットである場合、顧客番号、チケット名、枚数、暗号解読用コード、イベント開催日時、場所、席次番号、バーコード表示用二次元コードなどを含む。また、交通機関のチケットである場合、利用交通機関名、枚数、利用日時、乗車場所、暗号解読用のコード、席次番号、バーコード表示用二次元コードなどを含む。
【００５０】
ＣＰＵ３０４は、ステップＳ５で生成されたチケット情報に対応する制御プログラムを記憶部３０７から読み出す（ステップＳ６、Ｈ６）。このとき読み出される制御プログラムは、チケットの種類に応じて、携帯情報端末１０１の機能を制限するものであり、例えばコンサートのチケットである場合、公演中の通話禁止、カメラの使用禁止などを設定するものである。また、この制御プログラムは、携帯情報端末１０１の機種に対応したプログラムとなっている。
【００５１】
この後、ＣＰＵ３０４は、ステップＳ５で生成されたチケット情報、及びステップＳ６で読み出された制御プログラムを１つのファイルにチケットデータとしてパッケージ化する（ステップＳ７、Ｈ７）。尚、ステップＳ７、Ｈ７の処理は、請求項に記載のチケットデータ生成手段に相当する。ＣＰＵ３０４は、パッケージ化されたチケットデータに対し、信号処理部３０３で信号処理を施し、変調部３０２で変調した後、ネットワーク１０２を経由して携帯情報端末１０１に送信する（ステップＳ８、Ｈ８）。尚、ステップＳ８、Ｈ８の処理は請求項に記載のチケットデータ送信手段に相当する。
【００５２】
ネットワーク１０２及び無線基地局１０３を経由して、アンテナ及びスイッチ部２０１に送信されたチケットデータは、復調部２０２で受信され、復調されると、信号処理部２０４で信号処理が施された後、ＣＰＵ２０６に読み込まれる（ステップＳ９、Ｋ５）。ＣＰＵ２０６は、受信したチケットデータを記憶部２１１に格納し、信号処理部２０４及び変調部２０３を経由してアンテナ及びスイッチ部２０１からチケットデータ受信完了データを無線で送信する（Ｋ６）。尚、ステップＫ６の処理は請求項に記載の格納手段に相当する。
【００５３】
チケットデータ受信完了データは、無線基地局１０３及びネットワーク１０２を経由して、チケット発券システム１０４の復調部３０１で受信され、復調されると、信号処理部３０３で信号処理が施され、ＣＰＵ３０４に読み込まれる（Ｈ９）。ＣＰＵ３０４は、チケットデータ受信完了データを読み込むと、記憶部３０７に格納された顧客データベースに、送付したチケットデータが受信された旨を記録し、顧客データペースを更新する（ステップＳ１０、Ｈ１０）。
【００５４】
携帯情報端末１０１内のＣＰＵ２０６は、チケットデータ受信完了データを送信すると、記憶部２１１に格納されたチケットデータを読み出し、制御プログラムファイル及びチケット情報ファイルに展開して再び記憶部２１１に格納する（ステップＳ１１、Ｋ７）。この制御プログラムは、後述するステップＳ１３でチケット情報が確認されるまで処理されず、その開始が待たされる。
【００５５】
この後、ユーザは、ステップＳ９で受信したチケットデータに対応する日時に、チケット利用場所に移動する。ここで、チケット利用場所とは、各種開催イベントのチケットである場合、イベント開催場所であり、交通機関のチケットである場合、利用駅、空港、港などである。
【００５６】
ユーザは、チケットを利用する場合、各種イベント会場の入場ゲート、改札口などに設置されたチケット確認端末１０５に対し、チケットの確認を行う（Ｕ３）。ここで、携帯情報端末１０１は、チケットデータ通信部２１２により、記憶部２１１に格納されたチケット情報を読み出してチケット確認端末１０５に送信する（Ｋ８）。一方、チケット確認端末１０５内のＣＰＵ４０５は、チケットデータ通信部４０４を用いて携帯情報端末１０１から読み取られるチケット情報の中から必要な情報だけをチケット読込データとして記憶部４０８に格納する（Ｃ１）。さらに、ＣＰＵ４０５は、記憶部４０８に格納されたチケット読込データを、信号処理部４０３、変調部４０２及びネットワーク１０２を経由してチケット発券システム１０４に送信する（Ｃ２）。尚、ステップＣ２の処理は請求項に記載のチケット情報読出手段に相当する。
【００５７】
チケット発券システム１０４では、ネットワーク１０２経由でチケット確認端末１０５から出力されたチケット読み込みデータは、復調部３０１で受信され、復調されると、信号処理部３０３で信号処理が施され、ＣＰＵ３０４に読み込まれる（Ｈ１１）。ＣＰＵ３０４は、記憶部３０７に格納された顧客データペースを検索し、チケット確認端末１０５からのチケット読み込みデータが既に登録されているものか否かを照合し、登録確認データを生成する（Ｈ１２）。尚、ステップＨ１２の処理は請求項に記載の照合手段に相当する。そして、ＣＰＵ３０４は、生成した登録確認データを信号処理部３０３に出力して信号処理を施し、さらに変調部３０２で変調した後、ネットワーク１０２経由でチケット確認端末１０５に送信する（Ｈ１３）。
【００５８】
チケット確認端末１０５では、チケット発券システム１０４からネットワーク１０２経由で送信された登録確認データは、復調部４０１で受信され、復調されると、信号処理部４０２で信号処理が施され、ＣＰＵ４０５に読み込まれる。ＣＰＵ４０５は、受信した登録確認データの内容を表示部４０６に表示し、その内容を確認する（ステップＳ１２、Ｃ３）。確認の結果、チケット読み込みデータが顧客データベースに登録されているものであるか否かを判別し、登録されているものである場合、端末制御データを生成し、チケットデータ通信部４０４から携帯情報端末１０１に送信する（ステップＳ１３、Ｃ４）。尚、ステップＳ１３、Ｃ４の処理は請求項に記載の許可手段に相当する。一方、チケット読み込みデータが顧客データベースに登録されているものでなかった場合、そのまま本処理を終了する。尚、ステップＳ１２の確認の結果、チケット読み込みデータが顧客データベースに登録されているものである場合、各種イベント会場の入場ゲートや改札口がオープンとなることは勿論である。
【００５９】
携帯情報端末１０１は、チケット確認端末１０５から送信された端末制御データを、チケットデータ通信部２１２を介して受信し、記憶部２１１に格納する（Ｋ９）。ＣＰＵ２０６は、記憶部２１１に格納された端末制御データを読み込むと、ステップＳ１１で実行待ちとなっていた制御プログラムを実行する（ステップＳ１４、Ｋ１０）。この制御プログラムが実行されたことにより、携帯情報端末１０１の特定機能が制限される。尚、ステップＳ１４、Ｋ１０の処理は請求項に記載の機能変更手段に相当する。ここで、特定機能の制限とは、例えば各種開催イベントのチケットである場合、呼び出し音、カメラによる撮影などの禁止であり、交通機関のチケットである場合、通話禁止などである。
【００６０】
この後、ユーザは、イベント終了後、もしくは交通機関利用後、各種イベント会場の退場ゲートや改札口などを通過する際、これらに設置されたチケット確認端末１０５により、チケットの無効化を行う（ステップＳ１５、Ｕ４）。すなわち、チケット確認端末１０５内のＣＰＵ４０５は、記憶部４０８に格納された端末制御解除データを読み出し、チケットデータ通信部４０４から端末制御解除データを携帯情報端末１０１に送信する（Ｃ５）。この端末制御解除データは、ステップＳ１４で実行された制御プログラムを停止し、制限されていた機能を回復するためのものである。
【００６１】
携帯情報端末１０１では、ＣＰＵ２０６は、チケットデータ通信部２１１から受信した端末制御解除データを記憶部２１１に格納する（Ｋ１１）。そして、ＣＰＵ２０６は、記憶部２１１から読み出した端末制御解除データにより、ステップＳ１４で実行した制御プログラムを停止し、さらに、停止した制御プログラムを記憶部２１１から削除する（ステップＳ１６、Ｋ１２）。この後、本処理を終了する。
【００６２】
このように、第１の実施形態の電子チケットシステムでは、イベントの内容に応じたチケット情報とこれに対応する制御プログラムを生成し、制御プログラム及びチケット情報がパッケージ化された電子チケット（チケットデータ）を発券するようにしている。これにより、制御プログラムによって携帯情報端末の各種機能を自動的に制御でき、携帯情報端末を持ち込むことによる様々な弊害を防止できる。具体的には、各種イベント会場における携帯情報端末の呼び出し音による演出の妨げを防止でき、また交通機関利用中の通話による他の乗客への迷惑を防止できる。
【００６３】
（第２の実施形態）
図８は本発明の第２の実施形態における電子チケットシステム全体の動作処理手順を示すフローチャートである。第２の実施形態の電子チケットシステムの構成は、前記第１の実施形態と同じであり、また図５のステップＳ１〜Ｓ１１までのステップ処理も同じであるので、同様の構成要素、処理手順には同一の符号、同一のステップ番号を付し、ここでは異なるステップ処理についてだけ説明する。
【００６４】
ステップＳ１１で、携帯情報端末１０１内のＣＰＵ２０６は、記憶部２１１に格納されたチケットデータを読み出し、制御プログラムファイル及びチケット情報ファイルに展開して再び記憶部２１１に格納した後、展開された制御プログラムを実行する（ステップＳ１２Ａ）。この制御プログラムは、ステップＳ１１で展開されたチケット情報を基に、携帯情報端末１０１に搭載されているタイマ２１０に日付及び時間を設定するものである。ユーザによって購入されたチケットが各種イベントである場合、このとき設定される日付はイベントが開催される日付であり、設定される時間は、例えばイベント開始予定時刻、その１時間程度前などである。また、交通機関の乗車券である場合、発車時刻の１時間前などである。
【００６５】
そして、タイマ２１０が設定された日時に達するまで待つ（ステップＳ１３Ａ）。設定された日時に達すると、ＣＰＵ２０６は、スピーカ２０９に制御信号を出力し、音声によりイベント開始予定時刻に近づいたことをユーザに通知する（ステップＳ１４Ａ）。この後、本処理を終了する。尚、音声により通知する代わりに、表示部２０７にメッセージを表示して通知してもよい。
【００６６】
このように、第２の実施形態の電子チケットシステムによれば、ユーザがイベントの開催日や開催時間、チケットの乗車駅、乗車時間などを忘れてしまうおそれを無くすことができる。
【００６７】
（第３の実施形態）
図９は本発明の第３の実施形態における電子チケットシステム全体の動作処理手順を示すフローチャートである。第３の実施形態の電子チケットシステムの構成は、前記第１の実施形態と同じであり、また図５のステップＳ１〜Ｓ１１までのステップ処理も同じであるので、同様の構成要素、処理手順には同一の符号、同一のステップ番号を付し、ここでは異なるステップ処理についてだけ説明する。
【００６８】
ステップＳ１１で、携帯情報端末１０１内のＣＰＵ２０６は、記憶部２１１に格納されたチケットデータを読み出し、制御プログラムファイル及びチケット情報ファイルに展開して再び記憶部２１１に格納した後、展開された制御プログラムを実行する（ステップＳ１２Ａ）。この制御プログラムは、携帯情報端末１０１に搭載されているＧＰＳ装置（ＧＰＳ部２０５）を起動し、ＧＰＳ衛星１０６から受信した位置情報を取得し、ＣＰＵ２０６に出力するものである。ＣＰＵ２０６は、ＧＰＳ部２０５から入力される位置情報を基に、携帯情報端末１０１の現在位置情報（緯度、経度）を算出する。また、この制御プログラムは、ステップＳ１１で展開されたチケット情報に含まれる位置情報を取り出すものである。この位置情報は、ユーザによって購入されたチケットが各種イベントである場合、イベントが開催される会場の位置情報であり、また、交通機関の乗車券である場合、出発駅の位置情報である。
【００６９】
そして、ユーザからの要求があるまで待機する（ステップＳ１３Ｂ）。ここで、ユーザからの要求とは、ユーザによって購入されたチケットが各種イベントである場合、現在位置からイベントが開催される会場までの地図表示を開始させる要求であり、交通機関の乗車券である場合、現在位置から出発駅までの地図表示を開始させる要求である。また、この要求は、入力部２０８を介した直接入力、表示部２０７に表示されたアイコンの選択などによって行われる。
【００７０】
ユーザからの要求があると、ＣＰＵ２０６は、地図を表示させるための地図データを記憶部２１１から検索する（ステップＳ１４Ｂ）。ＣＰＵ２０６は、ステップＳ１４Ｂで検索された地図データ、及びステップＳ１２Ａで算出された２つの位置情報に対応する位置を表すマークを重ね合わせて表示部２０７に表示する（ステップＳ１５Ａ）。この後、本処理を終了する。
【００７１】
尚、上記した第３の実施形態では、表示部２０７に地図表示を行わせる場合を示したが、地図表示の代わりに移動経路を表示させるようにしてもよい。この場合、ステップＳ１３Ｂで待機するユーザからの要求は、ユーザによって購入されたチケットが各種イベントである場合、現在位置からイベントが開催される会場までの交通機関の移動経路の表示を開始させる要求であり、交通機関の乗車券である場合、現在位置から出発駅までの移動経路の表示を開始させる要求である。そして、ユーザからの要求があると、ステップＳ１４Ｂで、ＣＰＵ２０６は、現在位置情報及び交通機関の情報を基に、上記移動経路を表示させるためのデータを記憶部２１１に蓄積されたデータベースから検索する。そして、ステップＳ１５Ａで、ＣＰＵ２０６は、ステップＳ１４Ｂで検索されたデータを表示部２０７に表示する。
【００７２】
このように、第３の実施形態によれば、ＧＰＳ機能を用いることにより、チケット利用場所であるイベント会場や駅までの地図や交通機関の移動経路などを表示でき、ユーザがチケットを利用する際の会場や駅までの地図や交通機関の情報を容易に知ることができる。
【図面の簡単な説明】
【００７３】
【図１】本発明の第１の実施形態における電子チケットシステムの構成を示す図
【図２】本実施形態における携帯情報端末の構成を示す図
【図３】本実施形態におけるチケット発券システムの構成を示す図
【図４】本実施形態におけるチケット確認端末の構成を示す図
【図５】本発明の第１の実施形態における電子チケットシステム全体の動作処理手順を示すフローチャート
【図６】ユーザ、携帯情報端末、チケット発券システム及びチケット確認端末の各処理を示す図
【図７】ユーザ、携帯情報端末、チケット発券システム及びチケット確認端末の各処理を示す図
【図８】本発明の第２の実施形態における電子チケットシステム全体の動作処理手順を示すフローチャート
【図９】本発明の第３の実施形態における電子チケットシステム全体の動作処理手順を示すフローチャート
【符号の説明】
【００７４】
１０１  携帯情報端末
１０２  ネットワーク
１０３  無線基地局
１０４  チケット発券システム
１０５  チケット確認端末
１０６  ＧＰＳ衛星
２０６、３０４、４０５  ＣＰＵ
【図１】
2005025686.tif 000003
【図２】
2005025686.tif 000004
【図３】
2005025686.tif 000005
【図４】
2005025686.tif 000006
【図５】
2005025686.tif 000007
【図６】
2005025686.tif 000008
【図７】
2005025686.tif 000009
【図８】
2005025686.tif 000010
【図９】
2005025686.tif 000011